(57)【要約】【課題】素手の指で操作する場合はもちろん、手袋を嵌めた指で操作する場合であっても、スイッチボタンの同時押しが防止できるようにする。【解決手段】スイッチボタン１０を、操作面１３における中心から下方の位置に頂上部１１を設けた山型状に形成し、かつ前記スイッチボタン１０の上端に押し込み方向への移動が規制された支点１２を設け、前記スイッチボタンの底面１４の側に前記スイッチボタン１０の押し込みによって接点が導通するスイッチ４０を配置する。【選択図】図１
2011187352.tif 000002
【特許請求の範囲】
【請求項１】
スイッチボタンが縦に複数個配列された押しボタンスイッチ装置において、
前記スイッチボタンは、スイッチボタン操作面における中心から下方の位置に頂上部を設けた山型状に形成し、かつ前記スイッチボタンの上端に押し込み方向への移動が規制された支点を設け、前記スイッチボタンの底面側に前記スイッチボタンの押し込みによって接点が導通するスイッチを配置したことを特徴とする押しボタンスイッチ装置。
【請求項２】
請求項１に記載の押しボタンスイッチ装置において、
前記スイッチボタンと隣のスイッチボタンとの間に、前記頂上部よりも高い土手部を配置したことを特徴とする押しボタンスイッチ装置。
【請求項３】
請求項１又は２に記載の押しボタンスイッチ装置を備えたことを特徴とする電子又は電気機器。
【発明の詳細な説明】
【技術分野】
【０００１】
本発明は、スイッチボタンが縦に複数個配列された押しボタンスイッチ装置において、隣接する２以上のスイッチボタンの同時押しを防止した押しボタンスイッチ装置及びそれを備えた電子又は電気機器に関する。
【背景技術】
【０００２】
かかる押しボタンスイッチ装置は、例えば、車載型無線装置に使われる。この車載型無線装置は、消防車や救急車内のダッシュボードや座席等に搭載され、複数の基地局や移動局と無線通信を介して指令や車両の状況などを送受信するものであり、通信先の選択、無線チャンネルの切替、受信する音声の切替等のボタンスイッチ切替操作が必要となる。
【０００３】
車載型無線装置には、各種操作ボタン、マイク接続部およびスピーカとともに、基地局との通信状況や、通話状態、指令内容等を表示できる表示装置が必要であるため、スイッチボタンの間隔を広くすることことは難しい。
【０００４】
この車載型無線装置には、例えば、図４に示すような押しボタンスイッチ装置１Ａが搭載されている。すなわち、複数のスイッチボタン１０が操作パネル２０の上に縦方向に並べて配置されており、通常の操作では、指５０でそのうちの１つのスイッチボタン１０を押し込むことが行われるが、前記したようにそのスイッチボタン１０の間隔を広くすることが難しいので、特定の１個のスイッチボタンを押し込むつもりであっても、隣のスイッチボタンも同時に押し込む場合がある。
【０００５】
そこで、このような同時押しを防止するために、そのスイッチボタンの大きさを、そのボタン間隔が操作を行う指の幅よりも小さくなるように、小型化することが行われている（例えば、特許文献１参照）。
【先行技術文献】
【特許文献】
【０００６】
【特許文献１】特開平１０−２２２２６９号公報
【発明の概要】
【発明が解決しようとする課題】
【０００７】
しかしながら、車載型無線装置は、ダッシュボードや座席等に搭載されることから、操作者にとっては、スイッチ表示面が胸よりも下の位置となって見難い上に、さらに手袋を嵌めた指で斜め上から操作しなければならない場合が多くあり、このような場合は、指が大きくなるので、スイッチボタン１０の小型化対策を行っても、スイッチボタンの同時押しを皆無にすることは難しい。
【０００８】
本発明の目的は、素手の指で操作する場合はもちろん、手袋を嵌めた指で操作する場合であっても、スイッチボタンの同時押しが防止できるようにした押しボタンスイッチ装置及びそれを備えた電子又は電気機器を提供することである。
【課題を解決するための手段】
【０００９】
上記目的を達成するために、請求項１にかかる発明の押しボタンスイッチ装置は、スイッチボタンが縦に複数個配列された押しボタンスイッチ装置において、前記スイッチボタンは、スイッチボタン操作面における中心から下方の位置に頂上部を設けた山型状に形成し、かつ前記スイッチボタンの上端に押し込み方向への移動が規制された支点を設け、前記スイッチボタンの底面側に前記スイッチボタンの押し込みによって接点が導通するスイッチを配置したことを特徴とする。
請求項２にかかる発明は、請求項１に記載の押しボタンスイッチ装置において、前記スイッチボタンと隣のスイッチボタンとの間に、前記頂上部よりも高い土手部を配置したことを特徴とする。
請求項３にかかる発明の電子又は電気機器は、請求項１又は２に記載の押しボタンスイッチ装置を備えたことを特徴とする。
【発明の効果】
【００１０】
本発明によれば、スイッチボタンを指で押し込む際に、その指が最初に頂上部に当たり、隣のスイッチボタンと同時押し込みになりそうなときは、当該隣のスイッチボタンにおける奥方向への移動が規制された支点が設けられた上端に当たるので、当該隣のスイッチボタンを押し下げることはなく、素手の指で操作する場合はもちろん、手袋を嵌めた指で操作する場合であっても、２以上のスイッチボタンの同時押しが防止できる。また、隣のスイッチボタンとの間に土手部を設ければ、２以上のスイッチボタンの同時押しの防止がより効果的となる。
【図面の簡単な説明】
【００１１】
【図１】本発明の実施例の押しボタンスイッチ装置の側面図である。
【図２】本発明の実施例の押しボタンスイッチ装置の平面図である。
【図３】本発明の実施例の押しボタンスイッチ装置を搭載した車載型無線装置の正面図である。
【図４】従来の押しボタンスイッチ装置の側面図である。
【発明を実施するための形態】
【００１２】
図１、図２に本発明の第１の実施例の押しボタンスイッチ装置１を示す。スイッチボタン１０は、操作面１３における中央からずれた下方位置に他の部分よりも高くなった頂上部１１が設けられている。操作パネル２０には、スイッチボタン１０が縦に複数個配列されるが、スイッチボタン１０の頂上部１１と隣（下方）のスイッチボタン１０の間には、凸形状の土手部２１が形成されている。この土手部２１の頂上は、スイッチボタン１０の頂上部１１より高くなっている。３０はスイッチ基板である。４０はこのスイッチ基板３０に搭載されたスイッチであり、スイッチボタン１０の底面１４の側において、頂上部１１奥側（上下位置で頂上部１１と同一レベル）に位置するように配置されている。また、スイッチボタン１０の支点１２となる部分に、その部分の奥方向への移動が規制されるような機構が設けられている。
【００１３】
さて、指５０で押しボタンスイッチ装置１を操作するときは、その指５０でスイッチボタン１０を押し込む。これにより、その指５０が最初に最も高い頂上部１１に当たる。このとき、隣（下方）のスイッチボタン１０が指５０で同時に押されても、力は支点１２の部分にかかるため、そのスイッチボタン１０は、は奥方向には動かない。また、指５０が土手部２１に当たれば、指５０によるスイッチボタン１０の押し込みが規制される。以上により、頂上部１１が押し込まれたスイッチボタン１０のみが、奥方向に移動する。このとき、頂上部１１は、操作面１３における中央からずれた下方位置に設けられているので、スイッチボタン１０はその上端に設けられた支点１２を中心にスイッチ基板３０の方向に回動し、底面１４の側の頂上部１１に対応する奥端がスイッチ４０に作用することで、そのスイッチ４０の接点が導通する。このようにして、２以上のスイッチボタン１０の同時押しが回避される。
【００１４】
図３に、以上説明した本発明の押しボタンスイッチ装置１を搭載した車載型無線装置６０を示す。この車載型無線装置６０は、複数の基地局や移動局と無線通信を介して指令や車両の状況などを送受信するものであり、操作部のスイッチボタン１０ａで通信先の選択を行い、チャンネルアップスイッチボタン１０ｂ、チャンネルダウンスイッチボタン１０ｃで無線チャンネルの切り替えを行い、スイッチボタン１０ｄで受信側、送信側の音声を切り替え、ボリウムアップスイッチボタン１０ｅ，ボリウムダウンスイッチボタン１０ｆで通話の音量を調整する。
【００１５】
この車載型無線装置６０は、消防車や救急車内のダッシュボードや座席等に搭載されるため、操作パネル２０が垂直になるように設置されるので、縦に配列されるスイッチボタン１０が多い。このようなスイッチボタン１０の操作は、操作者の胸よもり下の位置で行うことになり、スイッチ表示面が見難い上に、スイッチボタン１０を上から押す姿勢となるが、上記のように、スイッチボタン１０に頂上部１１を設け、上端の支点１２の奥方向への移動を規制し、隣接するスイッチボタン１０の間に土手部２１を設けることにより、上下に隣り合うスイッチボタン１０の同時押しが回避される。
【符号の説明】
【００１６】
１，１Ａ：押しボタンスイッチ装置
１０：スイッチボタン、１１：頂上部、１２：支点、１３：操作面、１４：底面
２０：操作パネル、２１：土手部
３０：スイッチ基板
４０：スイッチ
５０：指
６０：車載型無線装置
【図１】
2011187352.tif 000003
【図２】
2011187352.tif 000004
【図３】
2011187352.tif 000005
【図４】
2011187352.tif 000006